(57)【要約】      （修正有）【課題】記録物の堅牢性に優れ、かつ、保存安定性にも優れたインクジェット記録用水性インクを提供する。【解決手段】着色剤および水を含むインクジェット記録用水性インクであって、前記着色剤が、一般式（１）で表される染料と、染料安定化剤を含むことを特徴とする。2010121106.tif 000014【選択図】なし【特許請求の範囲】
【請求項１】
着色剤および水を含むインクジェット記録用水性インクであって、
前記着色剤が、一般式（１）で表される染料を含み、
前記インクが、さらに、染料安定化剤を含み、
前記染料安定化剤が、炭素原子と窒素原子とが共有結合で結合された構造を有する物質を含むことを特徴とするインクジェット記録用水性インク。
【化１】
2010121106.tif 000012
一般式（１）において、
Ｒ１は、水素原子、置換または無置換のアルキル基、置換または無置換のアリール基であり、
Ｒ２は、水素原子、ハロゲン原子またはシアノ基であり、
Ｒ３は、水素原子、置換または無置換のアルキル基、置換または無置換のアリール基、置換または無置換のヘテロ環基であり、
Ｒ４、Ｒ５、Ｒ６およびＲ７は、それぞれ、水素原子、置換または無置換のアルキル基、置換または無置換のアリール基、置換または無置換のヘテロ環基、置換または無置換のスルホニル基、置換または無置換のアシル基であり、Ｒ４、Ｒ５、Ｒ６およびＲ７は同一でも異なっていてもよいが、Ｒ４とＲ５が共に水素原子であることはなく、Ｒ６とＲ７が共に水素原子であることはなく、
Ａ１およびＡ２は、双方が置換または無置換の炭素原子であるか、若しくは一方が置換または無置換の炭素原子であり、かつ、他方が窒素原子である。
【請求項２】
前記炭素原子と窒素原子とが共有結合で結合された構造を有する物質が、脂肪族アルコールアミンを含む請求項１記載のインクジェット記録用水性インク。
【請求項３】
前記脂肪族アルコールアミンが、一般式（２）で表される化合物を含む請求項２記載のインクジェット記録用水性インク。
【化２】
2010121106.tif 000013
一般式（２）において、Ｒ１１およびＲ１２は、それぞれ、任意の原子または基であり、Ｒ１１およびＲ１２は同一でも異なっていてもよく、
ｐ、ｑおよびｒは、それぞれ、１〜３の整数であり、ｐ，ｑおよびｒは同一でも異なっていてもよい。
【請求項４】
一般式（２）で表される化合物が、１，３−ビス［１，１−ビス（ヒドロキシメチル）−２−ヒドロキシエチルアミノ］プロパンおよび２−［ビス（２−ヒドロキシエチル）アミノ］−２−（ヒドロキシメチル）−１，３−プロパンジオールの少なくとも一方を含む請求項３記載のインクジェット記録用水性インク。
【請求項５】
ｐＨが、８．０〜１１．０である請求項１〜４のいずれか一項に記載のインクジェット記録用水性インク。
【請求項６】
インクジェット記録用水性インクを含むインクカートリッジであって、前記水性インクが、請求項１〜５のいずれか一項に記載のインクジェット記録用水性インクであることを特徴とするインクカートリッジ。
【請求項７】
インク収容部およびインク吐出手段を含み、前記インク収容部に収容されたインクを前記インク吐出手段によって吐出するインクジェット記録装置であって、前記インク収容部に、請求項６記載のインクカートリッジが収容されていることを特徴とするインクジェット記録装置。
【発明の詳細な説明】
【技術分野】
【０００１】
本発明は、インクジェット記録用水性インク、インクカートリッジおよびインクジェット記録装置に関する。
【背景技術】
【０００２】
従来から、着色剤および水を含むインクジェット記録用水性マゼンタインクが汎用されている（例えば、特許文献１〜３参照）。
【先行技術文献】
【特許文献】
【０００３】
【特許文献１】特開２００２−５３７６５号公報
【特許文献２】特開２００２−２４１６５９号公報
【特許文献３】特開２００４−３５２８８６号公報
【発明の概要】
【発明が解決しようとする課題】
【０００４】
前記インクは、記録物の耐光性、耐オゾン性等の堅牢性に優れていることが求められる。また、前記インクは、長期間の保存においても劣化せず、保存安定性にも優れていることが求められる。しかし、従来のインクには、記録物の耐光性、耐オゾン性等の堅牢性に優れ、かつ、保存安定性にも優れるものがなかった。
【０００５】
そこで、本発明は、記録物の耐光性、耐オゾン性等の堅牢性に優れ、かつ、保存安定性にも優れたインクジェット記録用水性インクを提供することを目的とする。
【課題を解決するための手段】
【０００６】
前記目的を達成するために、本発明のインクジェット記録用水性インクは、
着色剤および水を含むインクジェット記録用水性インクであって、
前記着色剤が、一般式（１）で表される染料を含み、
前記インクが、さらに、染料安定化剤を含み、
前記染料安定化剤が、炭素原子と窒素原子とが共有結合で結合された構造を有する物質（ＣＮ結合構造含有物質）を含むことを特徴とする。
【化１】
2010121106.tif 000002
Ｒ１は、水素原子、置換または無置換のアルキル基、置換または無置換のアリール基であり、
Ｒ２は、水素原子、ハロゲン原子またはシアノ基であり、
Ｒ３は、水素原子、置換または無置換のアルキル基、置換または無置換のアリール基、置換または無置換のヘテロ環基であり、
Ｒ４、Ｒ５、Ｒ６およびＲ７は、それぞれ、水素原子、置換または無置換のアルキル基、置換または無置換のアリール基、置換または無置換のヘテロ環基、置換または無置換のスルホニル基、置換または無置換のアシル基であり、Ｒ４、Ｒ５、Ｒ６およびＲ７は同一でも異なっていてもよいが、Ｒ４とＲ５が共に水素原子であることはなく、Ｒ６とＲ７が共に水素原子であることはなく、
Ａ１およびＡ２は、双方が置換または無置換の炭素原子であるか、若しくは一方が置換または無置換の炭素原子であり、かつ、他方が窒素原子である。
【発明の効果】
【０００７】
本発明のインクジェット記録用水性インクは、一般式（１）で表される染料を含むため、記録物の堅牢性に優れる。また、本発明のインクジェット記録用水性インクは、さらに、前記ＣＮ結合構造含有物質を含む前記染料安定化剤を含むため、保存安定性にも優れる。
【図面の簡単な説明】
【０００８】
【図１】図１は、本発明のインクジェット記録装置の構成の一例を示す概略斜視図である。
【発明を実施するための形態】
【０００９】
本発明のインクジェット記録用水性インクにおいて、前記ＣＮ結合構造含有物質が、脂肪族アルコールアミンを含むことが好ましい。
【００１０】
本発明のインクジェット記録用水性インクにおいて、前記脂肪族アルコールアミンが、
一般式（２）で表される化合物を含むことが好ましい。
【化２】
2010121106.tif 000003
一般式（２）において、Ｒ１１およびＲ１２は、それぞれ、任意の原子または基であり、Ｒ１１およびＲ１２は同一でも異なっていてもよく、
ｐ、ｑおよびｒは、それぞれ、１〜３の整数であり、ｐ、ｑおよびｒは、同一でも異なっていてもよい。
【００１１】
本発明のインクジェット記録用水性インクにおいて、一般式（２）で表される化合物が、１，３−ビス［１，１−ビス（ヒドロキシメチル）−２−ヒドロキシエチルアミノ］プロパンおよび２−［ビス（２−ヒドロキシエチル）アミノ］−２−（ヒドロキシメチル）−１，３−プロパンジオールの少なくとも一方を含むことが好ましい。
【００１２】
本発明のインクジェット記録用水性インクのｐＨは、８．０〜１１．０であることが好ましい。前記インクのｐＨを前記範囲とすることで、より保存安定性に優れたインクジェット記録用水性インクを得ることができる。前記インクのｐＨは、より好ましくは、９．０〜１０．５である。
【００１３】
本発明のインクカートリッジは、インクジェット記録用水性インクを含むインクカートリッジであって、前記水性インクが、本発明のインクジェット記録用水性インクであることを特徴とする。
【００１４】
本発明のインクジェット記録装置は、インク収容部およびインク吐出手段を含み、前記インク収容部に収容されたインクを前記インク吐出手段によって吐出するインクジェット記録装置であって、前記インク収容部に、本発明のインクカートリッジが収容されていることを特徴とする。
【００１５】
つぎに、本発明のインクジェット記録用水性インク（以下、単に「インク」または「水性インク」ということがある）について説明する。本発明のインクジェット記録用水性インクは、着色剤および水を含む。前記着色剤は、一般式（１）で表される染料を含む。
【００１６】
前述のとおり、一般式（１）において、
Ｒ１は、水素原子、置換または無置換のアルキル基、置換または無置換のアリール基であり、
Ｒ２は、水素原子、ハロゲン原子またはシアノ基であり、
Ｒ３は、水素原子、置換または無置換のアルキル基、置換または無置換のアリール基、置換または無置換のヘテロ環基であり、
Ｒ４、Ｒ５、Ｒ６およびＲ７は、それぞれ、水素原子、置換または無置換のアルキル基、置換または無置換のアリール基、置換または無置換のヘテロ環基、置換または無置換のスルホニル基、置換または無置換のアシル基であり、Ｒ４、Ｒ５、Ｒ６およびＲ７は同一でも異なっていてもよいが、Ｒ４とＲ５が共に水素原子であることはなく、Ｒ６とＲ７が共に水素原子であることはなく、
Ａ１およびＡ２は、双方が置換または無置換の炭素原子であるか、若しくは一方が置換または無置換の炭素原子であり、かつ、他方が窒素原子である。
【００１７】
一般式（１）において、前記置換または無置換のアルキル基は、好ましくは、炭素原子数１〜６のアルキル基である。前記置換または無置換のアルキル基としては、例えば、メチル基、エチル基、ｎ−ブチル基、イソプロピル基、ｔｅｒｔ−ブチル基、ヒドロキシエチル基、メトキシエチル基、シアノエチル基、トリフルオロメチル基、３−スルホプロピル基、４−スルホブチル基等があげられる。前記置換アルキル基の置換基としては、例えば、ヒドロキシル基；メトキシ基、エトキシ基等のアルコキシ基；シアノ基；フッ素原子、塩素原子、臭素原子、ヨウ素原子等のハロゲン原子；カルボン酸塩、スルホン酸塩等のイオン性親水性基等があげられる。
【００１８】
一般式（１）において、前記置換または無置換のアリール基は、好ましくは、炭素原子数６〜１２のアリール基である。ただし、置換アリール基の場合、前記炭素原子数は、置換基の炭素原子数を含まないものとする。前記置換または無置換のアリール基としては、例えば、フェニル基、ナフチル基、ｐ−トリル基、ｐ−オクチルフェニル基、メシチル基、ｐ−メトキシフェニル基、ｏ−クロロフェニル基、ｍ−（３−スルホプロピルアミノ）フェニル基等があげられる。前記置換アリール基の置換基としては、例えば、メチル基、エチル基、イソプロピル基、ｔｅｒｔ−ブチル基、ｎ−オクチル基等のアルキル基；前述と同様のアルコキシ基；前述と同様のハロゲン原子；メチルアミノ基、ジメチルアミノ基等のアルキルアミノ基；アミド基；カルバモイル基；スルファモイル基；スルホアミド基；水酸基；メトキシカルボニル基、エトキシカルボニル基等のエステル基；前述と同様のイオン性親水性基等があげられる。
【００１９】
一般式（１）において、前記ハロゲン原子としては、例えば、フッ素原子、塩素原子、臭素原子およびヨウ素原子等があげられる。
【００２０】
一般式（１）において、前記置換または無置換のヘテロ環基は、好ましくは、５員または６員環のヘテロ環基である。前記置換または無置換のへテロ環基としては、例えば、２−ピリジル基、２−チエニル基、２−チアゾリル基、２−ベンゾチアゾリル基、２−フリル基、６−スルホベンゾチアゾリル基、６−スルホン酸塩ベンゾチアゾリル基等があげられる。前記置換ヘテロ環基の置換基としては、例えば、アミド基；カルバモイル基；スルファモイル基；スルホアミド基；水酸基；前述と同様のエステル基；前述と同様のイオン性親水性基等があげられる。
【００２１】
一般式（１）において、前記置換または無置換のスルホニル基としては、例えば、メチルスルホニル基、フェニルスルホニル基等があげられる。前記置換スルホニル基の置換基としては、例えば、前述と同様の置換または無置換アルキル基、前述と同様の置換または無置換のアリール基等があげられる。
【００２２】
一般式（１）において、前記置換または無置換のアシル基は、好ましくは、炭素原子数１〜１２のアシル基である。ただし、置換アシル基の場合、前記炭素原子数は、置換基の炭素原子数を含まないものとする。前記置換または無置換のアシル基としては、例えば、アセチル基、ベンゾイル基、クロロアセチル基等があげられる。前記置換アシル基の置換基としては、例えば、前述と同様のイオン性親水性基等があげられる。
【００２３】
一般式（１）において、Ａ１およびＡ２は、前述のとおり、双方が置換または無置換の炭素原子であるか、若しくは一方が置換または無置換の炭素原子であり、且つ、他方が窒素原子である。Ａ１およびＡ２の双方が炭素原子である場合が、より優れた性能を発揮できる点で好ましい。Ａ１およびＡ２の炭素原子に結合する置換基としては、例えば、炭素原子数１〜３のアルキル基、カルボキシル基、カルバモイル基、シアノ基等があげられる。
【００２４】
前述のとおり、一般式（１）において、Ｒ４とＲ５とは共に水素原子であることはなく、またＲ６とＲ７も共に水素原子であることはない。また、一般式（１）において、スルホン酸基若しくはカルボキシル基の置換数が多くなると前記一般式（１）で表される染料の水溶性が向上する傾向があるので、必要に応じてそれらの置換数を調整することが好ましい。
【００２５】
一般式（１）で表される染料の好ましい態様としては、例えば、一般式（１）において、Ｒ１がアルキル基、Ｒ２がシアノ基、Ｒ３が水素原子若しくは置換または無置換のヘテロ環基、Ｒ４が水素原子、置換または無置換のヘテロ環基若しくは置換アリール基、Ｒ５およびＲ６が、それぞれ、置換ヘテロ環基または置換アリール基、Ｒ７が水素原子であり、Ａ１が置換されている炭素原子、Ａ２が置換または無置換の炭素原子である態様があげられる。
【００２６】
一般式（１）で表される染料のより好ましい態様としては、例えば、一般式（１）において、Ｒ１がｔｅｒｔ−ブチル基、Ｒ２がシアノ基、Ｒ３が水素原子またはスルホン酸基若しくはそのアルカリ金属塩基で置換されてもよいベンゾチアゾリル基（好ましくは、ベンゾチアゾール−２−イル基）、Ｒ４が水素原子、スルホン酸基若しくはそのアルカリ金属塩基で置換されてもよいベンゾチアゾリル基（好ましくは、ベンゾチアゾール−２−イル基）またはスルホン酸基若しくはそのアルカリ金属塩基で置換されているトリアルキルフェニル基（好ましくは、メシチル基）、Ｒ５およびＲ６が、それぞれ、スルホン酸基若しくはそのアルカリ金属塩基で置換されてもよいモノ、ジ若しくはトリアルキルフェニル基（好ましくは、ｐ−オクチルフェニル基若しくはメシチル基）またはスルホン酸基若しくはそのアルカリ金属塩基で置換されているベンゾチアゾリル基（好ましくは、ベンゾチアゾール−２−イル基）、Ｒ７が水素原子であり、Ａ１がアルキル基（好ましくは、メチル基）で置換されている炭素原子、Ａ２がシアノ基で置換されてもよい炭素原子である態様である。
【００２７】
一般式（１）で表される染料の好ましい具体例としては、構造式（１−Ａ）〜（１−Ｆ）で表される化合物があげられる。
【００２８】
【化３】
2010121106.tif 000004
【００２９】
構造式（１−Ａ）で表される化合物は、一般式（１）において、Ｒ１がｔｅｒｔ−ブチル基、Ｒ２がシアノ基、Ｒ３およびＲ４が６−スルホリチウム塩ベンゾチアゾール−２−イル基、Ｒ５およびＲ６が２，６−ジエチル−４−メチル−３−スルホリチウム塩フェニル基、Ｒ７が水素原子であり、Ａ１がメチル基で置換されている炭素原子、Ａ２が炭素原子である態様である。
【００３０】
【化４】
2010121106.tif 000005
【００３１】
構造式（１−Ｂ）で表される化合物は、一般式（１）において、Ｒ１がｔｅｒｔ−ブチル基、Ｒ２がシアノ基、Ｒ３およびＲ４が６−スルホカリウム塩ベンゾチアゾール−２−イル基、Ｒ５およびＲ６が３−スルホカリウム塩−メシチル基、Ｒ７が水素原子であり、Ａ１がメチル基で置換されている炭素原子、Ａ２が炭素原子である態様である。
【００３２】
【化５】
2010121106.tif 000006
【００３３】
構造式（１−Ｃ）で表される化合物は、一般式（１）において、Ｒ１がｔｅｒｔ−ブチル基、Ｒ２がシアノ基、Ｒ３がベンゾチアゾール−２−イル基、Ｒ４が水素原子、Ｒ５およびＲ６がｐ−オクチルフェニル基、Ｒ７が水素原子であり、Ａ１がメチル基で置換されている炭素原子、Ａ２がシアノ基で置換されている炭素原子である態様である。
【００３４】
【化６】
2010121106.tif 000007
【００３５】
構造式（１−Ｄ）で表される化合物は、一般式（１）において、Ｒ１がｔｅｒｔ−ブチル基、Ｒ２がシアノ基、Ｒ３およびＲ４がベンゾチアゾール−２−イル基、Ｒ５およびＲ６がメシチル基、Ｒ７が水素原子であり、Ａ１がメチル基で置換されている炭素原子、Ａ２が炭素原子である態様である。
【００３６】
【化７】
2010121106.tif 000008
【００３７】
化学式（１−Ｅ）で表される化合物は、一般式（１）において、Ｒ１がｔｅｒｔ−ブチル基、Ｒ２がシアノ基、Ｒ３およびＲ４が６−スルホナトリウム塩ベンゾチアゾール−２−イル基、Ｒ５およびＲ６が３−スルホナトリウム塩−メシチル基、Ｒ７が水素原子であり、Ａ１がメチル基で置換されている炭素原子、Ａ２が炭素原子である態様である。
【００３８】
【化８】
2010121106.tif 000009
【００３９】
化学式（１−Ｆ）で表される化合物は、一般式（１）において、Ｒ１がｔｅｒｔ−ブチル基、Ｒ２がシアノ基、Ｒ３およびＲ４が６−スルホリチウム塩ベンゾチアゾール−２−イル基、Ｒ５およびＲ６が２，６−ジエチル−４−スルホリチウム塩フェニル基、Ｒ７が水素原子であり、Ａ１がメチル基で置換されている炭素原子、Ａ２が炭素原子である態様である。
【００４０】
一般式（１）で表される染料の配合量は、特に限定されない。水性インクに一般式（１）で表される染料を含ませることで、前記水性インクを用いた記録物の堅牢性を向上させることができる。一般式（１）で表される染料の配合量は、前記インク全量に対し、例えば、０．１重量％〜７重量％であり、好ましくは、０．２重量％〜５重量％である。
【００４１】
前記着色剤は、一般式（１）で表される染料のみを含んでいてもよいし、さらに他の染料および顔料等を含んでもよい。
【００４２】
前記水は、イオン交換水または純水であることが好ましい。前記インク全量に対する前記水の配合量は、例えば、１０重量％〜９０重量％であり、好ましくは、４０重量％〜８０重量％である。前記水の配合量は、例えば、他の成分の残部としてもよい。
【００４３】
本発明のインクジェット記録用水性インクは、さらに、染料安定化剤を含む。前記染料安定化剤は、前記ＣＮ結合構造含有物質を含む。前記ＣＮ結合構造含有物質は、一般式（１）で表される染料を安定化する機能を有する。例えば、前記ＣＮ結合構造含有物質により一般式（１）で表される染料の分解が抑制されることで、前記インクの吸光度変化率が小さくなる。前記ＣＮ結合構造含有物質は、ｐＨ安定能を有していても良い。この場合には、前記ＣＮ結合構造含有物質により前記インクのｐＨが前述の好ましい範囲に維持されることも、一般式（１）で表される染料の安定化に寄与する。
【００４４】
前記ＣＮ結合構造含有物質としては、特に限定されず、例えば、脂肪族アルコールアミン、アミノ酸等があげられる。前述のとおり、前記ＣＮ結合構造含有物質は、脂肪族アルコールアミンを含むことが好ましい。前記脂肪族アルコールアミンは、第１級アミン、第２級アミンおよび第３級アミンのいずれであってもよい。前記脂肪族アルコールアミンにおけるヒドロキシ末端を有する脂肪族基は、例えば、炭素原子数１〜７の直鎖または分岐のヒドロキシ末端を有する脂肪族基であり、ヒドロキシメチル基、ヒドロキシエチル基、ヒドロキシプロピル基、ヒドロキシブチル基、−Ｃ（ＣＨ２ＯＨ）３、−（ＣＨ２）３ＮＨＣ（ＣＨ２ＯＨ）３等があげられる。前記ヒドロキシ末端を有する脂肪族基に異性体が存在する場合はどの異性体でもよく、例えば、「ヒドロキシエチル基」という場合は、１−ヒドロキシエチル基でも２−ヒドロキシエチル基でもよい。前記脂肪族アルコールアミンは、アミノ基を複数含んでいてもよい。また、前記脂肪族アルコールアミンは、ヒドロキシ基を複数含むことが好ましい。
【００４５】
前記脂肪族アルコールアミンは、一般式（２）で表される化合物を含むことが好ましい。一般式（２）において、Ｒ１１およびＲ１２は、特に限定されず、それぞれ、いかなる原子または基であってもよく、Ｒ１１およびＲ１２は同一でも異なっていてもよい。Ｒ１１およびＲ１２としては、例えば、水素原子、脂肪族基、ヒドロキシ末端を有する脂肪族基等があげられ、好ましくは、水素原子、ヒドロキシメチル基、ヒドロキシエチル基、−（ＣＨ２）３ＮＨＣ（ＣＨ２ＯＨ）３である。Ｒ１１およびＲ１２に異性体が存在する場合はどの異性体でもよく、例えば、「ヒドロキシエチル基」という場合は、１−ヒドロキシエチル基でも２−ヒドロキシエチル基でもよい。前述のとおり、一般式（２）において、ｐ、ｑおよびｒは、それぞれ、１〜３の整数であり、ｐ、ｑおよびｒは、同一でも異なっていてもよい。一般式（２）で表される化合物の好ましい具体例としては、１，３−ビス［１，１−ビス（ヒドロキシメチル）−２−ヒドロキシエチルアミノ］プロパン（構造式（２−Ａ））、２−［ビス（２−ヒドロキシエチル）アミノ］−２−（ヒドロキシメチル）−１，３−プロパンジオール（構造式（２−Ｂ））があげられる。
【００４６】
【化９】
2010121106.tif 000010
【００４７】
前記アミノ酸としては、特に限定されず、例えば、リジン、アルギニン、ヒドロキシリジン、ヒスチジン等があげられ、これらの中でも、リジン、アルギニンが好ましい。前記アミノ酸は、Ｌ型、Ｄ型のいずれであってもよい。
【００４８】
前記ＣＮ結合構造含有物質の配合量は、特に限定されず、例えば、前記ＣＮ結合構造含有物質がｐＨ安定能を有する場合には、前記水性インクのｐＨが、前述の好ましい範囲となる量とすればよい。前記ＣＮ結合構造含有物質の配合量は、前記着色剤の種類や配合量等により異なるが、前記インク１００重量部に対し、例えば、０．００５重量部〜１０重量部であり、好ましくは、０．００５重量部〜８重量部であり、より好ましくは、０．００５重量部〜５重量部である。
【００４９】
前記ＣＮ結合構造含有物質は、１種類を単独で用いてもよいし、２種類以上を併用してもよい。前記染料安定化剤は、前記ＣＮ結合構造含有物質のみを含んでいてもよいし、前記ＣＮ結合構造含有物質以外の染料安定化剤をさらに含んでもよい。
【００５０】
本発明のインクジェット記録用水性インクは、さらに、インクジェットヘッドのノズル部におけるインクの乾燥を防止する湿潤剤および被記録媒体上での乾燥速度を調整する浸透剤を含むことができる。
【００５１】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン；１，３−ジメチル−２−イミダゾリジノン等があげられる。前記ポリアルキレングリコールは、特に限定されず、例えば、ポリエチレングリコール、ポリプロピレングリコール等があげられる。前記アルキレングリコールは、特に限定されず、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの中でも、アルキレングリコール、グリセリン等の多価アルコールが好適である。前記湿潤剤は、１種類を単独で用いてもよいし、２種類以上を併用してもよい。
【００５２】
前記インク全量に対する前記湿潤剤の配合量（湿潤剤割合）は、特に限定されず、例えば、０重量％〜９５重量％であり、好ましくは、１０重量％〜８０重量％であり、より好ましくは、１０重量％〜５０重量％である。
【００５３】
前記浸透剤は、特に限定されず、例えば、グリコール系エーテルがあげられる。前記グリコール系エーテルは、特に限定されず、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル、トリプロピレングリコール−ｎ−ブチルエーテル等があげられる。前記浸透剤は、１種類を単独で用いてもよいし、２種類以上を併用してもよい。
【００５４】
前記インク全量に対する前記浸透剤の配合量（浸透剤割合）は、特に限定されず、例えば、０重量％〜２０重量％である。前記浸透剤割合を前記範囲とすることで、前記水性インクの記録紙等の被記録媒体への浸透性を、より好適なものとできる。前記浸透剤割合は、好ましくは、０．１重量％〜１５重量％であり、より好ましくは、０．５重量％〜１０重量％である。
【００５５】
本発明のインクジェット記録用水性インクは、必要に応じて、さらに、従来公知の添加剤を含んでもよい。前記添加剤としては、例えば、界面活性剤、粘度調整剤、表面張力調整剤、防黴剤等があげられる。前記粘度調整剤は、例えば、ポリビニルアルコール、セルロース、水溶性樹脂等があげられる。
【００５６】
本発明のインクジェット記録用水性インクは、例えば、前記着色剤、水および染料安定化剤と、必要に応じて他の添加成分とを、従来公知の方法で均一に混合し、フィルタ等で不溶解物を除去することにより調製できる。
【００５７】
本発明のインクジェット記録用水性インクは、例えば、水性マゼンタインクとして用いることができる。本発明のインクジェット記録用水性インクは、マゼンタ以外の色の着色剤をさらに含むことにより、マゼンタ以外の色の水性インクとすることもできる。
【００５８】
つぎに、本発明のインクカートリッジについて説明する。前述のとおり、本発明のインクカートリッジは、インクジェット記録用水性インクを含むインクカートリッジであって、前記水性インクが、本発明のインクジェット記録用水性インクであることを特徴とする。本発明のインクカートリッジの本体としては、例えば、従来公知のものを使用できる。
【００５９】
つぎに、本発明のインクジェット記録装置について説明する。本発明のインクジェット記録装置は、インク収容部およびインク吐出手段を含み、前記インク収容部に収容されたインクを前記インク吐出手段によって吐出するインクジェット記録装置であって、前記インク収容部に、本発明のインクカートリッジが収容されていることを特徴とする。これを除き、本発明のインクジェット記録装置の構成は、例えば、従来公知のインクジェット記録装置と同様であってもよい。
【００６０】
図１に、本発明のインクジェット記録装置の一例の構成を示す。図示のとおり、このインクジェット記録装置１は、４つのインクカートリッジ２と、インクジェットヘッド３と、ヘッドユニット４と、キャリッジ５と、駆動ユニット６と、プラテンローラ７と、パージ装置８とを主要な構成部材として含む。本例のインクジェット記録装置において、インクジェットヘッド３が前記インク吐出手段である。
【００６１】
前記４つのインクカートリッジ２は、イエロー、マゼンタ、シアンおよびブラックの４色の水性インクを、それぞれ１色ずつ含む。例えば、前記水性マゼンタインクを含むインクカートリッジが、本発明のインクカートリッジである。前記インクジェットヘッド３は、記録紙等の被記録媒体Ｐに記録を行う。前記ヘッドユニット４は、前記インクジェットヘッド３を備えている。前記キャリッジ５には、前記４つのインクカートリッジ２および前記ヘッドユニット４が搭載される。前記駆動ユニット６は、前記キャリッジ５を直線方向に往復移動させる。前記プラテンローラ７は、前記キャリッジ５の往復方向に延び、前記インクジェットヘッド３と対向して配置されている。前記記録は、印字、印画、印刷等を含む。
【００６２】
前記駆動ユニット６は、キャリッジ軸９と、ガイド板１０と、２つのプーリ１１および１２と、エンドレスベルト１３とを含む。前記キャリッジ軸９は、前記キャリッジ５の下端部に配置され、前記プラテンローラ７と平行に延びている。前記ガイド板１０は、前記キャリッジ５の上端部に配置され、前記キャリッジ軸９と平行に延びている。前記２つのプーリ１１および１２は、前記キャリッジ軸９と前記ガイド板１０との間であって、前記キャリッジ軸９の両端部に配置されている。前記エンドレスベルト１３は、前記２つのプーリ１１および１２の間に掛け渡されている。
【００６３】
このインクジェット記録装置１において、前記プーリ１１がキャリッジモータ１０１の駆動により正逆回転されると、前記プーリ１１の正逆回転に伴って、前記エンドレスベルト１３に接合されている前記キャリッジ５が、前記キャリッジ軸９および前記ガイド板１０に沿って、直線方向に往復移動する。
【００６４】
前記被記録媒体Ｐは、このインクジェット記録装置１の側方又は下方に設けられた給紙カセット（図示せず）から給紙される。前記被記録媒体Ｐは、前記インクジェットヘッド３と、前記プラテンローラ７との間に導入される。すると、前記被記録媒体Ｐに、前記インクジェットヘッド３から吐出されるインクにより所定の記録がなされる。前記被記録媒体Ｐは、その後、前記インクジェット記録装置１から排紙される。図１においては、前記被記録媒体Ｐの給紙機構及び排紙機構の図示を省略している。
【００６５】
前記パージ装置８は、前記プラテンローラ７の側方に設けられ、前記ヘッドユニット４がリセット位置（この例においては、前記パージ装置８の上部）にある時に、前記インクジェットヘッド３と対向するように配置されている。前記パージ装置８は、パージキャップ１４と、ポンプ１５およびカム１６と、インク貯留部１７とを含む。前記パージキャップ１４は、前記ヘッドユニット４が前記リセット位置にある時に、前記インクジェットヘッド３の複数のノズル（図示せず）を覆う。前記ポンプ１５は、前記カム１６の駆動により前記インクジェットヘッド３の内部に溜まる気泡等を含んだ不良インクを吸引する。これにより、前記インクジェットヘッド３の回復が図られる。前記吸引された不良インクは、前記インク貯留部１７に貯蔵される。
【００６６】
前記パージ装置８の前記プラテンローラ７側の位置には、前記パージ装置８に隣接してワイパ部材２０が配設されている。前記ワイパ部材２０は、へら状に形成されており、前記キャリッジ５の移動に伴って、前記インクジェットヘッド３のノズル形成面を拭うものである。図１において、キャップ１８は、インクの乾燥を防止するため、記録が終了すると前記リセット位置に戻される前記インクジェットヘッド３の複数のノズルを覆うものである。
【００６７】
この例のインクジェット記録装置１においては、前記４つのインクカートリッジ２は、１個のキャリッジ５に搭載されている。ただし、本発明は、これに限定されない。本発明のインクジェット記録装置において、前記４つのインクカートリッジは、複数のキャリッジに搭載されていてもよい。また、前記インクカートリッジは、前記キャリッジには搭載されず、インクジェット記録装置内に配置、固定されていてもよい。この態様においては、例えば、前記インクカートリッジと、前記キャリッジに搭載された前記ヘッドユニットとが、チューブ等により連結され、前記インクカートリッジから前記ヘッドユニットに前記インクが供給される。
【００６８】
本発明によれば、インクジェット記録用水性インクに含まれる染料を安定化するための染料安定化剤であって、前記ＣＮ結合構造含有物質を含むことを特徴とする染料安定化剤が提供される。また、本発明によれば、インクジェット記録用水性インクに含まれる染料を安定化する染料安定化方法であって、前記インクが、染料および前記染料安定化剤を含むことを特徴とする染料安定化方法が提供される。
【００６９】
前記染料安定化剤および前記染料安定化方法の適用対象となる染料は、特に限定されないが、一般式（１）で表される染料を含むことが好ましい。前記染料安定化剤および前記染料安定化方法において、前記ＣＮ結合構造含有物質の種類および配合量等は、前記本発明のインクジェット記録用水性インクと同様にすることができる。
【実施例】
【００７０】
つぎに、本発明の実施例について比較例と併せて説明する。なお、本発明は、下記の実施例および比較例によって限定および制限されない。
【００７１】
［実施例１〜６および比較例１、２］
実施例１〜６および比較例１については、インク組成成分および染料安定化剤（表１）を、比較例２については、インク組成成分（表１）を、均一に混合した。その後、得られた混合物を、東洋濾紙（株）製の親水性ポリテトラフルオロエチレン（ＰＴＦＥ）タイプメンブレンフィルタ（孔径０．２０μｍ）を用いてろ過することで、実施例１〜６および比較例１、２のインクジェット記録用水性インクを得た。なお、表１において、染料（１−Ａ）および（１−Ｂ）は、それぞれ、構造式（１−Ａ）および（１−Ｂ）で表される化合物であり、染料安定化剤（２−Ａ）および（２−Ｂ）は、それぞれ、構造式（２−Ａ）および（２−Ｂ）で表される化合物である。
【００７２】
実施例および比較例の水性インクについて、（ａ）保存安定性評価、（ｂ）耐オゾン性評価および（ｃ）耐光性評価を、下記の方法により行った。なお、（ｂ）耐オゾン性評価用および（ｃ）耐光性評価用のサンプルは、つぎのようにして準備した。
【００７３】
すなわち、まず、実施例および比較例の水性インクを、インクカートリッジに充填した。ついで、前記インクカートリッジを、ブラザー工業（株）製のインクジェットプリンタ搭載デジタル複合機ＤＣＰ−３３０Ｃに装着した。つぎに、ブラザー工業（株）製の写真光沢紙ＢＰ６１ＧＬＡに前記水性インクのグラデーションサンプルをプリントし、初期ＯＤ値１．０の評価パッチを得た。前記ＯＤ値は、Ｇｒｅｔａｇ  Ｍａｃｂｅｔｈ社製の分光測色計Ｓｐｅｃｔｒｏｌｉｎｏ（光源：Ｄ６５；視野：２°；ｓｔａｔｕｓ  Ａ）により測定した。
【００７４】
（ａ）保存安定性評価
実施例および比較例の水性インクを純水で１６００倍に希釈した希釈液の波長４４０ｎｍにおける吸光度を、（株）島津製作所製の紫外可視近赤外分光光度計ＵＶ３６００を用いて測定した。前記吸光度の測定には、セル長１０ｍｍの測定セルを用いた。ついで、別途、前記水性インクを密閉容器に入れ、温度６０℃の環境下で、２週間保存した。つぎに、前記保存後の前記水性インクを純水で１６００倍に希釈した希釈液の吸光度を、保存前と同様にして、測定した。つぎに、下記式（Ｉ）により吸光度変化率（％）を求め、保存安定性を、下記評価基準に従って評価した。下記式（Ｉ）において、｜Ｘ−Ｙ｜は、ＸとＹとの差の絶対値を意味する。なお、前記吸光度変化率が小さいほど、染料の分解が抑制され、保存安定性に優れていたこととなる。
吸光度変化率（％）＝（｜Ｘ−Ｙ｜／Ｘ）×１００      ・・・（Ｉ）
Ｘ：保存前の吸光度
Ｙ：保存後の吸光度
【００７５】
保存安定性評価  評価基準
Ｇ  ：吸光度変化率が、３％未満
ＮＧ：吸光度変化率が、３％以上
【００７６】
（ｂ）耐オゾン性評価
スガ試験機（株）製のオゾンウェザーメーターＯＭＳ−Ｈを用いて、オゾン濃度２ｐｐｍ、槽内温度２４℃、槽内相対湿度６０％の条件下、前記グラデーションサンプルを４０時間放置した。ついで、前記放置後の前記評価パッチのＯＤ値を、前述と同様にして、測定した。つぎに、下記式（ＩＩ）によりＯＤ値変化率（％）を求め、耐オゾン性を、下記評価基準に従って評価した。下記式（ＩＩ）において、｜Ｘ−Ｙ｜は、ＸとＹとの差の絶対値を意味する。なお、前記ＯＤ値変化率が小さいほど、画質の劣化が少なく、耐オゾン性に優れていたこととなる。
ＯＤ値変化率（％）＝（｜Ｘ−Ｙ｜／Ｘ）×１００      ・・・（ＩＩ）
Ｘ：１．０（初期ＯＤ値）
Ｙ：放置後のＯＤ値
【００７７】
耐オゾン性評価  評価基準
Ｇ  ：ＯＤ値変化率が、１０％未満
ＮＧ：ＯＤ値変化率が、１０％以上
【００７８】
（ｃ）耐光性評価
スガ試験機（株）製の強エネルギーキセノンウェザーメーターＳＣ７５０―ＷＮを用いて、槽内温度２５℃、槽内相対湿度５０％、照度９３ｋｌｘの条件下、前記グラデーションサンプルにキセノンランプ光を２００時間照射した。ついで、前記照射後の前記評価パッチのＯＤ値を、前述と同様にして、測定した。つぎに、下記式（ＩＩＩ）によりＯＤ値変化率（％）を求め、耐光性を、下記評価基準に従って評価した。下記式（ＩＩＩ）において、｜Ｘ−Ｙ｜は、ＸとＹとの差の絶対値を意味する。なお、前記ＯＤ値変化率が小さいほど、画質の劣化が少なく、耐光性に優れていたこととなる。
ＯＤ値変化率（％）＝（｜Ｘ−Ｙ｜／Ｘ）×１００      ・・・（ＩＩＩ）
Ｘ：１．０（初期ＯＤ値）
Ｙ：照射後のＯＤ値
【００７９】
耐光性評価  評価基準
Ｇ  ：ＯＤ値変化率が、１０％未満
ＮＧ：ＯＤ値変化率が、１０％以上
【００８０】
実施例および比較例のインク組成および評価結果を表１に示す。なお、表１において、ｐＨは、（株）堀場製作所製のｐＨメータＦ−２４を用いて測定温度２５℃にて測定した。
【００８１】
【表１】
2010121106.tif 000011
【００８２】
表１に示すとおり、実施例１〜６の水性インクは、保存安定性評価、耐オゾン性評価および耐光性評価のすべての結果が、良好であった。一方、比較例１の水性インクは、一般式（１）で表される染料を含まないため、耐オゾン性評価、耐光性評価の結果が劣っていた。また、比較例２の水性インクは、染料安定化剤を含まないため、保存安定性評価の結果が劣っていた。
【産業上の利用可能性】
【００８３】
以上のように、本発明のインクジェット記録用水性インクは、記録物の耐光性、耐オゾン性等の堅牢性に優れ、かつ、保存安定性にも優れたものである。本発明のインクジェット記録用水性インクの用途は、限定されず、各種のインクジェット記録に広く適用可能である。
【符号の説明】
【００８４】
１          インクジェット記録装置
２          インクカートリッジ
３          インクジェットヘッド
４          ヘッドユニット
５          キャリッジ
６          駆動ユニット
７          プラテンローラ
８          パージ装置
９          キャリッジ軸
１０        ガイド板
【図１】
2010121106.tif 000015